(57)【要約】【課題】操作ステーション２側の設定に関らず、ユーザの選択どおりに日付情報等の画像関連情報を印字しないプリントを正確に行う写真プリントシステムを提供する。【解決手段】ＤＰＯＦ情報とＤＰＯＦ情報の方が優先して検索されるＥｘｉｆ情報とを含む画像データに対して各種付加条件を設定可能な受付端末６において、画像データの各種付加条件の設定入力を行うための日付設定画面３０と、日付設定画面３０に入力された入力情報に基づいて、画像データのＤＰＯＦ情報における日付情報をスペース文字に置き換えた変換画像データを作成し、変換画像データを送信するデータ処理部６７とを備える。【選択図】図２
2008028760.tif 000002
【特許請求の範囲】
【請求項１】
第１記録情報と前記第１記録情報の方が優先して検索される第２記録情報とを含む画像データに対して各種付加条件を設定可能な写真処理装置であって、
前記画像データの前記各種付加条件の設定入力を行うための設定入力部と、
前記設定入力部に入力された入力情報に基づいて、前記画像データの前記第１記録情報における画像関連情報をダミー情報に置き換えた変換画像データを作成し、前記変換画像データを送信するデータ処理部と、
を備えている写真処理装置。
【請求項２】
前記画像関連情報は、前記画像データの撮影日時に関する日付情報である、
請求項１に記載の写真処理装置。
【請求項３】
前記ダミー情報は、空白印字を示すスペース文字である、
請求項１または２に記載の写真処理装置。
【請求項４】
前記ダミー情報は、任意の文字列およびそのプリント色情報である、
請求項１または２に記載の写真処理装置。
【請求項５】
前記第１記録情報は、ＤＰＯＦ情報である、
請求項１から４のいずれか１項に記載の写真処理装置。
【請求項６】
前記第２記録情報は、Ｅｘｉｆ情報である、
請求項１から５のいずれか１項に記載の写真処理装置。
【請求項７】
第１記録情報と前記第１記録情報の方が優先して検索される第２記録情報とを含む画像データに対して各種付加条件を設定可能な写真処理装置の写真処理プログラムであって、
前記画像データの前記各種付加条件の設定入力に関する入力情報を記憶する第１のステップと、
前記入力情報に基づいて、前記画像データに含まれる前記第１記録情報における画像関連情報をダミー情報に置き換えた変換画像データを作成する第２のステップと、
前記変換画像データを送信する第３のステップと、
を備えた写真処理方法をコンピュータに実行させる写真処理プログラム。
【発明の詳細な説明】
【技術分野】
【０００１】
本発明は、画像をプリントする際に、プリントの補正条件やプリント印字情報の設定を行うことが可能な写真処理装置および写真処理プログラムに関する。
【背景技術】
【０００２】
近年、デジタルカメラ等の撮影装置によって撮影された画像を取得して、印画紙に対して写真プリント（以下、プリントともいう）を行うデジタルミニラボと呼ばれる写真処理装置が用いられている。このような写真処理装置では、顧客（以下、ユーザ）へのサービスの多様化や写真処理装置の高性能化に伴って様々な機能が提供されており、ユーザが好みに応じてそれらを選択できるようになっている。
【０００３】
そのサービスの一つとして、プリントする画像に別途生成した日付情報を印字する機能がある。日付情報の印字状態は、撮影時の撮影装置の設定、ユーザの嗜好、写真処理装置の設定、および様々な規格等が組み合わさった問題に対処しつつ、最終的にはユーザの希望に沿うものでなければならない。
そこで、例えば、撮影装置において合成された撮影日時と、プリント処理時に挿入される撮影日時とが二重にプリントされてしまうことを防止する写真処理装置が提供されている（例えば、特許文献１参照）。
【特許文献１】特開２００５−１０２０６７号公報（平成１７年４月１４日公開）
【発明の開示】
【発明が解決しようとする課題】
【０００４】
しかしながら、上記従来の写真処理装置では、以下に示すような問題点をさらに有している。
写真処理装置では、通常、ユーザがプリントを注文する際に使用する受付端末と、実際にプリント処理を行う写真処理機（以下、プリント処理部）とで処理が分かれている。受付端末では、プレジャッジ画面等の注文画面において、ユーザは写真プリントに最終的に日付印字を行うか否かを選択できるようになっている場合が多い。この場合、ユーザによっては、事前にユーザが作成したプリント注文情報（例えば、日付印字なしの設定を含む）が付随した画像データを店に持ち込み、さらに撮影した画像を店でプリント注文する際に、受付端末の注文画面で日付印字なしの設定を選択することがある。ところが、店側が行うプリント処理部の設定によっては、ユーザが作成したプリント注文情報が参照されずに、受付端末での指定に関らず日付印字がなされてしまうことがあり、ユーザによる受付端末側からの指示との間で不整合が生じる。そのため、受付端末において日付印字なしと注文すると、プリント処理部側の設定をその都度確認して解除する等の操作が必要となり、作業効率が悪い。
【０００５】
そこで、本発明の課題は、プリント処理部側の設定に関らず、ユーザの希望に対応した日付情報等の画像関連情報を印字しないプリントを正確に行う写真処理装置を提供することにある。
【課題を解決するための手段】
【０００６】
第１の発明に係る写真処理装置は、第１記録情報と第１記録情報の方が優先して検索される第２記録情報とを含む画像データに対して各種付加条件を設定可能な写真処理装置であって、設定入力部と、データ処理部とを備えている。設定入力部は、画像データの各種付加条件の設定入力を行うためのものである。データ処理部は、設定入力部に入力された入力情報に基づいて、画像データの第１記録情報における画像関連情報をダミー情報に置き換えた変換画像データを作成し、変換画像データを送信する。
【０００７】
ここでは、データ処理部において、ユーザによって設定入力部に入力されたプリント注文情報に従って、画像データが有する記録情報の一形式である第１記録情報に含まれる画像関連情報を変換してプリント処理部に送信する処理を行う写真処理装置について示す。なお、この写真処理装置は、写真プリントを希望する顧客が持ち込んだ画像データをプリントするために、写真店等に設置されるものである。
【０００８】
ここで、各種付加条件とは、画像データに対する色補正等の条件、プリント枚数の設定条件、およびプリント時に合成される装飾や文字の追加条件等、ユーザの好みに応じて写真プリント申し込み時に設定される条件である。また、ここで、画像データは電子データである。画像データを電子的に取り込む場合には、デジタルカメラ等の撮影装置から直接取得してもよいし、ＣＤ−Ｒ等の記録メディアを介して取得してもよい。画像関連情報には、例えば、自動色補正情報や画像の撮影／作成日時に関する情報等が含まれ、付加条件の設定に基づいて適宜参照されて、プリント処理に使用される。さらに、例えば、第１記録情報とはユーザが事前に自宅等で編集できる情報であり、第２記録情報とは撮影装置の機種等に依存する設計情報および撮影時の日付情報等の、ユーザが編集できない情報を指す。
【０００９】
通常、写真処理装置では、ユーザが写真プリントを注文する際に使用する受付端末と、店側が設定やメンテナンスを行って実際にプリント処理を行うプリント処理部とで処理が分かれている。受付端末では、プレジャッジ画面等の表示部に表示される設定入力部（すなわち、注文画面）において、ユーザが所望の付加条件の設定を行い、その入力情報（すなわち、プリント注文情報）がプリント処理部に送信されてプリントが行われる。
【００１０】
しかし、使用頻度の高い付加条件については、画像関連情報を用いて処理する設定を店側が積極的にプリント処理部に適用している場合がある。その設定では、画像データが有する第１記録情報と第２記録情報のうち、まず第１記録情報の画像関連情報（以下、第１画像関連情報）が検索される。所定の画像関連情報がないと、次に第２記録情報の画像関連情報（以下、第２画像関連情報）において所定の画像関連情報が検索されて、その画像関連情報を用いてプリント処理が行われる。すると、ユーザによる受付端末での付加条件の設定において、画像関連情報を用いない処理が指定されたにも関らず、プリント処理部側の設定によって第２画像関連情報が使用されてしまうため、ユーザの指定に反した処理がなされてしまうことがある。そのため、受付端末の注文画面からの指示と、プリント処理部側の設定処理との間の不整合を防ぐために、プリント注文時にプリント処理部の設定を解除する作業も行われていた。従って、作業効率の低下およびユーザ等の写真処理装置のオペレータに負荷が生じていた。
【００１１】
そこで、本発明の写真処理装置では、第１画像関連情報において所定の画像関連情報がない場合でも第２画像関連情報が検索、参照されないようにする。すなわち、第１記録情報が第２記録情報よりも優先して参照されることから、写真処理装置は、第１画像関連情報において所定の画像関連情報がない場合に、所定の画像関連情報としてダミー情報を作成付与し、プリント処理部に送信するデータ処理部を備える。
【００１２】
これにより、第１画像関連情報において所定の画像関連情報がない場合であっても、自動的に第２画像関連情報が参照されて、ユーザの指定と異なった処理が行われることを回避できる。
この結果、プリント処理部側の設定に関らず、ユーザの希望に対応したプリント処理を正確に行うことができる。また、プリント処理部の設定をプリント注文の度に変更する必要がなくなり、作業効率が向上できる。
【００１３】
第２の発明に係る写真処理装置は、第１の発明に係る写真処理装置であって、画像関連情報は、画像データの撮影日時に関する日付情報である。
ここでは、画像データが有する第１画像関連情報が日付情報を含んでおり、ユーザからの付加条件の指定にこの日付情報が用いられる場合の例を示す。
ユーザに提供する付加条件のサービスとして日付印字があり、設定入力部ではユーザが写真プリントに最終的に日付印字を行うか否かを選択できるようになっている場合が多い。一方、店側では、日付印字が使用頻度の高いサービスの一つであることから、画像データに含まれる日付情報を利用して、プリント処理部に日付を印字するように設定をしている場合がある。この場合、まず第１画像関連情報が検索されて日付情報がないと、次に第２画像関連情報が検索されて、第２画像関連情報に含まれる日付情報がプリント処理に用いられる。すると、ユーザが、事前に日付情報を含まないように編集した画像関連情報を有する第１記録情報を持ち込み、さらに、ユーザによる受付端末での付加条件の指定において日付情報を印字しないプリント注文が指定されたにも関らず、第１画像関連情報が日付情報を含まないために、第２画像関連情報が含む日付情報が用いられて日付印字がなされてしまうことがある。そのため、受付端末の注文画面からの指示と、プリント処理部側の設定処理との間で不整合を防ぐために、プリント注文時にプリント処理部において第２画像関連情報の日付情報を参照しないように設定を解除する必要があり、作業効率の低下およびユーザ等の写真処理装置のオペレータに負荷が生じていた。また、プリント処理が正確に行われず、写真プリントは商品価値を失うため、感光材料が無駄に廃棄される等の問題があった。
【００１４】
そこで、本発明の写真処理装置によれば、ユーザが受付端末において設定入力時に日付印字なしと選択し、かつ第１記録情報において日付情報がない場合であっても、自動的に第２画像関連情報の日付情報が参照されて、ユーザの指定と異なった処理が行われることを回避できる。
この結果、日付印字を行うか否かについて、ユーザの希望に対応したプリント処理を正確に行うことができる。
【００１５】
第３の発明に係る写真処理装置は、第１または第２の発明に係る写真処理装置であって、ダミー情報は、空白印字を示すスペース文字である。
ここでは、データ処理部が、画像データの第１画像関連情報における所定の画像関連情報として挿入するダミー情報について具体的に示す。以下、所定の画像関連情報として日付情報を用いて説明する。
【００１６】
第１画像関連情報において日付情報がない場合であっても、第２画像関連情報の日付情報が参照されないように、データ処理部により第１画像関連情報の日付情報としてスペース文字を入れ込む。
これにより、スペース文字が日付情報と認識され、プリント処理時には空白印字（すなわち、空打ち）が行われるため、最終プリントには日付が印字されないことになる。
この結果、日付印字を行うか否かについて、ユーザの希望に対応したプリント処理を正確に行うことができる。
【００１７】
第４の発明に係る写真処理装置は、第１または第２の発明に係る写真処理装置であって、ダミー情報は、任意の文字列およびそのプリント色情報である。
ここでは、データ処理部が、画像データの第１画像関連情報における所定の画像関連情報として挿入するダミー情報について他の例を具体的に示す。以下、所定の画像関連情報として日付情報を用いて説明する。
【００１８】
第１画像関連情報において日付情報がない場合であっても、第２画像関連情報の日付情報が参照されないように、データ処理部により第１画像関連情報の日付情報として、任意の日付情報とそのプリント時の色とを指定する情報を入れ込む。
これにより、例えば、日付情報が印字される位置に対応する背景画像と同じ色の日付情報であれば、印字しても最終プリントでは日付を認識できないことになる。
この結果、例えば、日付印字を行うか否かについて、ユーザの希望に対応したプリント処理を正確に行うことができる。
【００１９】
第５の発明に係る写真処理装置は、第１から第４のいずれか１つの発明に係る写真処理装置であって、第１記録情報は、ＤＰＯＦ情報である。
ここでは、プリント処理時に参照される、ユーザが事前に編集可能な第１記録情報について具体的に示す。
【００２０】
ＤＰＯＦ（Ｄｉｇｉｔａｌ  Ｐｒｉｎｔ  Ｏｒｄｅｒ  Ｆｏｒｍａｔ）情報とは、撮影した画像について、事前に記録されたユーザの所望のプリント注文情報である。また、ＤＰＯＦは、デジタルカメラ等の撮影装置の記録フォーマットの一つである。撮影した画像について、所望のプリント設定に関する情報を事前に記録させることができるため、広く用いられている。
これにより、ユーザの編集した情報をプリント処理に優先的に反映させることができる。
この結果、プリント注文が容易になり、作業効率のよい写真処理装置を提供できる。
【００２１】
第６の発明に係る写真処理装置は、第１から第５のいずれか１つの発明に係る写真処理装置であって、第２記録情報は、Ｅｘｉｆ情報である。
【００２２】
ここでは、プリント処理時に参照される、第２記録情報について具体的に示す。
Ｅｘｉｆ（Ｅｘｃｈａｎｇｅ  ｉｍａｇｅ  ｆｉｌｅ  ｆｏｒｍａｔ）情報とは、 デジタルカメラ等の撮影装置で撮影された画像についての様々な情報や、撮影日時等の固定の情報である。また、Ｅｘｉｆは画像ファイルの規格であり、上記情報の他に撮影画像の縮小画像（サムネイル）を記録すること等も可能なため、広く用いられている。
これにより、Ｅｘｉｆ情報を写真処理装置で使用することができるため、写真処理装置の処理工程において都合がよい。例えば、受付端末においてプリント注文時にユーザに縮小画像を提示させる等、写真処理装置の操作性および処理効率が向上する。
この結果、作業効率のよい写真処理装置を提供できる。
【００２３】
第７の発明に係る写真処理プログラムは、第１記録情報と第１記録情報の方が優先して検索される第２記録情報とを含む画像データに対して各種付加条件を設定可能な写真処理装置の写真処理プログラムであって、次の第１から第３のステップの写真処理方法をコンピュータに実行させる。第１のステップでは、画像データの各種付加条件の設定入力に関する入力情報を記憶する。第２のステップでは、入力情報に基づいて、画像データの第１記録情報における画像関連情報をダミー情報に置き換えた変換画像データを作成する。第３のステップでは、変換画像データを送信する。
【００２４】
ここでは、第２のステップにおいて、ユーザによって設定入力部に入力されたプリント注文情報に基づいて、画像データの第１記録情報における画像関連情報をダミー情報に置き換えた変換画像データを作成し、第３のステップにおいて、変換画像データをプリント処理部に送信する処理を行う。
ここで、各種付加条件とは、画像データに対する色補正等の条件、プリント枚数の設定条件、およびプリント時に合成される装飾や文字の追加条件等、ユーザの好みに応じて写真プリント申し込み時に設定される条件である。また、ここで、画像データは電子データである。画像データを電子的に取り込む場合には、デジタルカメラ等の撮影装置から直接取得してもよいし、ＣＤ−Ｒ等の記録メディアを介して取得してもよい。画像関連情報には、例えば、自動色補正情報や画像の撮影／作成日時に関する情報等が含まれ、付加条件の設定に基づいて適宜参照されて、プリント処理に使用される。さらに、例えば、第１記録情報とはユーザが事前に自宅等で編集できる情報であり、第２記録情報とは撮影装置の機種等に依存する設計情報および撮影時の日付情報等の、ユーザが編集できない情報を指す。
【００２５】
通常、写真処理装置では、ユーザが写真プリントを注文する際に使用する受付端末と、店側が設定やメンテナンスを行って実際にプリント処理を行うプリント処理部とで処理が分かれている。受付端末では、プレジャッジ画面等の表示部に表示される設定入力部（すなわち、注文画面）において、ユーザが所望の付加条件の設定を行い、その入力情報（すなわち、プリント注文情報）がプリント処理部に送信されてプリントが行われる。
【００２６】
しかし、使用頻度の高い付加条件については、画像関連情報を用いて処理する設定を店側が積極的にプリント処理部に適用している場合がある。その設定では、画像データが有する第１記録情報と第２記録情報のうち、まず第１記録情報の画像関連情報（以下、第１画像関連情報）が検索される。所定の画像関連情報がないと、次に第２記録情報の画像関連情報（以下、第２画像関連情報）において所定の画像関連情報が検索されて、その画像関連情報を用いてプリント処理が行われる。すると、ユーザによる受付端末での付加条件の指定において、画像関連情報を用いない処理が指定されたにも関らず、プリント処理部側の設定によって第２画像関連情報が使用されてしまうため、ユーザの指定に反した処理がなされてしまうことがある。そのため、受付端末の注文画面からの指示と、プリント処理部側の設定処理との間の不整合を防ぐために、プリント注文時にプリント処理部の設定を解除する作業も行われていた。従って、作業効率の低下およびユーザ等の写真処理装置のオペレータに負荷が生じていた。
【００２７】
そこで、本発明の写真処理プログラムでは、第１画像関連情報において所定の画像関連情報がない場合でも第２画像関連情報が検索、参照されないような処理を行う。すなわち、第１記録情報が第２記録情報よりも優先して参照されることから、第１画像関連情報において所定の画像関連情報がない場合に、第２のステップにおいて、所定の画像関連情報としてダミー情報を作成し、第３のステップにおいて、作成した情報をプリント処理部に送信する。
【００２８】
これにより、第１画像関連情報において所定の画像関連情報がない場合であっても、自動的に第２画像関連情報が参照されて、ユーザの指定と異なった処理が行われることを回避できる。
この結果、プリント処理部側の設定に関らず、ユーザの希望に対応したプリント処理を正確に行うことができる。また、プリント処理部の設定をプリント注文の度に変更する必要がなくなり、作業効率が向上できる。
【発明の効果】
【００２９】
第１の発明に係る写真処理装置によれば、プリント処理部側の設定に関らず、ユーザの希望に対応したプリント処理を正確に行うことができる。また、プリント処理部の設定をプリント注文の度に変更する必要がなくなり、作業効率が向上できる。
第２の発明に係る写真処理装置によれば、日付印字を行うか否かについて、ユーザの希望に対応したプリント処理を正確に行うことができる。
【００３０】
第３の発明に係る写真処理装置によれば、日付印字を行うか否かについて、ユーザの希望に対応したプリント処理を正確に行うことができる。
第４の発明に係る写真処理装置によれば、日付印字を行うか否かについて、ユーザの希望に沿ったプリントを提供することが可能になる。
第５の発明に係る写真処理装置によれば、プリント注文が容易になり、作業効率のよい写真処理装置を提供できる。
【００３１】
第６の発明に係る写真処理装置によれば、作業効率のよい写真処理装置を提供できる。
第７の発明に係る写真処理プログラムによれば、プリント処理部側の設定に関らず、ユーザの希望に対応したプリント処理を正確に行うことができる。また、プリント処理部の設定をプリント注文の度に変更する必要がなくなり、作業効率が向上できる。
【発明を実施するための最良の形態】
【００３２】
本発明の一実施形態に係る受付端末（写真処理装置）６を有する写真プリントシステム１について、図１〜図７を用いて説明すれば以下の通りである。
［写真プリントシステム１の構成］
本発明の一実施形態に係る写真プリントシステム１は、図１に示すように、主にチェーン展開するＤＰＥ（Ｄｅｖｅｌｏｐｍｅｎｔ  Ｐｒｉｎｔｉｎｇ  Ｅｎｌａｒｇｅｍｅｎｔ）店の店舗等に配置される。
【００３３】
写真プリントシステム１は、操作ステーション２と、プリントステーション３と、受付端末６とを備えている。
操作ステーション２は、ＤＰＥ店の店舗に設置されるような店側のオペレータ用の操作装置であって、店側から顧客に対して共通に提供するプリントサービスや店側で予め設定しておくべき画像処理の内容等のプリントに関する設定条件を入力する。さらに、ケーブル４を介して接続されたプリントステーション３に対してこれらの設定情報等を送信し、プリントステーション３の制御を行う。また、この操作ステーション２において、直接画像データの取り込みを行う事もできる。例えば、現像された写真フィルム２ａやデジタルカメラ等で撮影されたサムネイル画像データおよび本画像データを含むデジタル画像データ（以下、画像データ）が保存されたメモリカード２ｂ等のメディアから、縮小画像Ｇ１（以下、サムネイル画像Ｇ１、図６（ａ）参照）や本画像Ｇ２（図６（ｂ）参照）等のデータを取り込む。さらには、受付端末６において取得された同様な画像データを、ネットワークケーブル５を介して取り込むこともできる。これらの取り込んだデータを基に、所定のプリントを行うようにプリントステーション３に画像データを送信する。
【００３４】
プリントステーション３は、操作ステーション２から受信した設定情報および画像データに基づいて、印画紙Ｐに対して露光処理および現像処理を行って写真プリントを行う。
受付端末６は、ＤＰＥ店の店頭に設置されるような顧客（以下、ユーザ）用の操作装置であって、ユーザが持ち込んだＣＤ−ＲやＵＳＢメモリを含む各種記録メディアやカメラ付き携帯電話等から画像データを取り込む。また、受付端末６は、タッチパネル型ディスプレイあるいは図示しないマウスやキーボード等の入力装置を有しており、ユーザはこれらの入力装置から、日付印字の有無に関する日付条件や必要なプリント枚数等のプリントサービスに関する付加条件を入力する。これらの画像データや付加条件は、ネットワークケーブル５によって接続された操作ステーション２に送信される。
【００３５】
［操作ステーション２の構成］
操作ステーション２は、図１に示すように、デスク上に配置された、フィルムスキャナ２１と、メディアリーダ２２と、モニタ２３と、キーボード２４と、マウス２５と、パソコンＰＣとを有している。
フィルムスキャナ２１は、写真フィルム２ａに現像された撮影コマに対応する画像をデジタル画像データとして取り込む。
【００３６】
メディアリーダ２２は、本写真プリントシステム１のコントローラとして機能するパソコンＰＣに搭載されており、デジタルカメラ等で撮影された撮影コマ画像のデジタルデータをメモリカード２ｂや各種半導体メモリ、ＣＤ−Ｒ等のメディアから取り込む。
パソコンＰＣは、モニタ２３、キーボード２４、マウス２５とに接続される。また、パソコンＰＣは、図２に示すように、ＲＯＭ、ＲＡＭ、ＨＤＤ等のメモリ２６と、プリントステーション３の管理・制御を統括する制御部２７と、を内蔵している。
【００３７】
モニタ２３には、プリントサイズや補正内容等の各種設定、所望のオーダー番号等の入力情報、および処理状況等が表示されて、オペレータにそれらの情報を通知する。
キーボード２４およびマウス２５は、プリントサイズや補正内容等の各種設定入力、および所望のオーダー番号等の入力を行うためのポインティングデバイスである。
キーボード２４やマウス２５を介してオペレータによって入力された指示に従って、内蔵のメモリ２６に記憶された写真処理プログラムがパソコンＰＣの図示しないＣＰＵによって読み込まれる。これにより、プリントステーション３の処理状況等を表示するための制御ブロックが形成され、画像データや各部の制御データが相互に伝送される。また、メモリ２６には、上記写真処理プログラムの他に、オペレータによる各種設定入力条件や画像処理設定条件等が記憶される。オペレータによる各種設定入力条件には、例えば、ユーザが事前に編集したプリント設定条件であるＤＰＯＦ情報が画像データに含まれれば、ＤＰＯＦ情報を優先的に使用する設定が含まれる。この設定では、画像データにＤＰＯＦ情報が含まれない場合には（すなわち、ユーザが事前にプリント設定情報の編集を行っていなければ）、Ｅｘｉｆ情報を使用するようになっている。さらに、メモリ２６には、受付端末６から送信される画像データ、ユーザによる各種付加条件、およびＤＰＯＦ情報等が記憶される。
【００３８】
制御部２７は、上記画像データや各種条件に基づいた制御データをプリントステーション３に送信する。
［プリントステーション３の構成］
プリントステーション３は、図３に示すように、内部に、２つの印画紙マガジン１１と、シートカッター１２と、バックプリント部１３と、プリント露光部１４と、処理槽ユニット１５と、コンベア１６と、ソータ１７（図１参照）と、印画紙搬送機構１８とを有している。
【００３９】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００４０】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。そして、プリント露光部１４は、副走査方向に搬送される印画紙Ｐに対して主走査方向に沿ってＲＧＢの３色のレーザ光線を照射する図示しないライン露光ヘッドを有している。また、プリント露光部１４は、操作ステーション２からの画像関連情報に関する指示に基づいた露光を行う。
【００４１】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００４２】
コンベア１６は、プリントステーション３の上部に露出しており、写真プリント画像が表面に形成されて乾燥処理後に排出された印画紙Ｐをソータ１７（図１参照）の方向へ搬送する。
ソータ１７は、プリントステーション３の前面側に鉛直方向に複数のトレイを並べた状態で配置されており、コンベア１６によって搬送されるプリント済の印画紙Ｐを、オーダー単位で各トレイに振り分ける（図１参照）。
【００４３】
印画紙搬送機構１８は、プリントステーション３の内部において、印画紙マガジン１１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。
【００４４】
プリントステーション３では、以上のような構成により、操作ステーション２において設定された条件に従って写真プリントを行うことができる。
［受付端末６の構成］
受付端末６は、図１に示すように、モニタ６１、メディアリーダ６２、赤外線受光部６３、ＣＤ（コンパクトディスク）ドライブ６４、およびＦＤ（フロッピー（登録商標）ディスク）ドライブ６５を有している。また、受付端末６は、図２に示すように、メモリ６６およびデータ処理部６７を内蔵している。
【００４５】
モニタ６１は、タッチパネル式の表示装置であって、図４に示すような、注文時に日付印字を行うか否かを設定するための日付設定画面（設定入力部）３０や、図５に示すような、プリントに関するユーザ所望の付加条件の設定等をアイコンやキー等の押下によって入力するプレジャッジ画面４０（詳細は後述）を表示する。
メディアリーダ６２は、各種記録メディアに対応することができるように複数種類設けられており、挿入された記録メディアから画像データを取得する。画像データには、撮影日時に関する情報（以下、日付情報）や、自動的にその画像データを基に最適な品質にプリントするための色補正情報（以下、自動色補正情報）等の画像関連情報等を含む、ＤＰＯＦ情報（第１記録情報）およびＥｘｉｆ情報（第２記録情報）が含まれている。
【００４６】
赤外線受光部６３は、カメラ付き携帯電話から赤外線送信される画像データを、赤外線通信を介して取得する。なお、カメラ付き携帯電話からの画像データの取得は、赤外線通信に限らず、専用ケーブル等を用いて行うことも可能である。
ＣＤドライブ６４およびＦＤドライブ６５は、ＣＤ−Ｒ／ＲＷ、ＦＤがそれぞれ挿入され、挿入されたＣＤ−Ｒ／ＲＷおよびＦＤから記録された画像データを取得する。また、ＣＤドライブ６４については、画像処理後の画像データを記録することもできる。
【００４７】
メモリ６６は、日付設定画面３０およびプレジャッジ画面４０からユーザによって入力された日付条件および各種付加条件の設定を一旦記憶する。その設定に従って、メモリ６６に記憶された写真処理プログラム（ここでは、データ処理プログラム）が図示しないＣＰＵによって読み込まれる。これにより、取得された画像データに対してデータ処理等を行うための制御ブロックが形成される。
【００４８】
データ処理部６７は、メモリ６６に記憶された設定（すなわち、受付端末６側での設定）に基づいて、ＤＰＯＦ情報の有無を検索する。そして、ＤＰＯＦ情報があればその内容を操作ステーション２に送信し、なければＥｘｉｆ情報が検索、参照されないようにＤＰＯＦ情報の画像関連情報としてスペース文字（ダミー情報）を作成して操作ステーション２に送信する。
【００４９】
＜プレジャッジ画面４０を用いたプリント設定＞
受付端末６のモニタ６１には、各種プリント条件を設定するためのユーザインターフェースとして、図５に示すようなプレジャッジ画面４０が表示される。
プレジャッジ画面４０は、取得された画像データの縮小画像データに基づいて、サムネイル画像Ｇ１（図６（ａ）参照）を、例えば、図５に示すように６画像ずつ表示する。ユーザは、これらのサムネイル画像を確認しながら、所望の画像データのプリントに関する付加条件の設定を行うことができる。すなわち、ユーザは、プレジャッジ画面４０において撮影された画像を確認しながら、各画像についてプリントの有無、プリント枚数、プリントサイズ、色補正等について、所望の設定を行う。
【００５０】
具体的には、サムネイル画像Ｇ１は、プレジャッジ画面４０における６つの表示枠４１に表示される。この各表示枠４１の下部には、色濃度補正設定エリア４２とプリント枚数設定エリア４３とが配置されている。
色濃度補正設定エリア４２には、「イエロー」、「マゼンタ」、「シアン」、「濃度」の設定枠が設けられており、補正量の「Ｎ」はニュートラルを意味し、これを選択するとユーザによる補正設定はなしとなる。プリント枚数設定エリア４３には、プリント枚数入力枠が設けられており、「パス」はプリント枚数が「０」であることを意味している。
【００５１】
また、プレジャッジ画面４０における下段部分には、プリント条件表示エリア４４が配置されている。このプリント条件表示エリア４４では、この写真プリント出力に適用されたプリントチャンネル名称が表示されており、このプリントチャンネルに含まれているプリントサイズ、インデックスプリントの要否やメディア出力の要否等が決定される。なお、プリントサイズとは、Ｃ、Ｐ、Ｌ、２Ｌ等の仕上がり写真プリントの大きさを示すものであり、本実施形態では印画紙幅と送り長さとでプリントサイズが決定される。
【００５２】
さらに、プレジャッジ画面４０における右下段部には、スタートキー４５が配置されている。
スタートキー４５は、図５に示すプレジャッジ画面４０において入力した各種プリント条件を確定するためのキーである。スタートキー４５が押下されると、データ処理部６７は、プリント条件に従って各画像データの画像処理を開始する。そして、次の頁（次の６画像）がプレジャッジ画面４０に表示される。
【００５３】
＜日付印字なしプリントの作成手順＞
ここで、本実施形態の写真プリントシステム１による日付印字を行わないプリント操作の流れについて、図７に示すフローチャートを用いて説明すれば以下の通りである。なお、ここでは、図２および図４〜６も適宜参照して説明する。
まず、受付端末６は、ユーザが持ち込んだ記録メディアに記録された、本画像Ｇ２（図６（ｂ）参照）およびサムネイル画像Ｇ１（図６（ａ）参照）の画像データをメモリ６６に取り込む（ステップ１、以下「Ｓ１」のように称す）。
【００５４】
すると、受付端末６のモニタ６１には、日付印字を行うか否かを注文時に設定するユーザインターフェースである、日付設定画面３０（図４参照）が起動する。日付設定画面３０において、日付設定キー３１ａまたは３１ｂが押下されることにより、オーダー毎に日付印字の設定が受け付けられる（Ｓ２）。日付印字を行わない場合には、日付設定キー３１ａが押下される。また、日付設定画面３０では、実際にプリントに日付印字が行われた場合の例示画像３２ａまたは３２ｂも表示して、ユーザが視覚的に確認し易いような形式にしている。なお、日付印字の設定は、オーダー毎に行うだけではなく、選択している画像データ単位で設定することも可能である。
【００５５】
次に、受付端末６のモニタ６１において、プレジャッジ画面４０（図５参照）が起動し、サムネイル画像が一覧で表示される。ユーザは、これらのサムネイル画像を確認しながら、各画像におけるプリントの有無、プリント枚数、プリントサイズ、および色補正等の付加条件について所望の設定を行う（Ｓ３）。これらの設定が終了してスタートキー４５が押下されると、次の工程に移る。
【００５６】
Ｓ２において受け付けた設定が日付印字なしであった場合（Ｓ４）、データ処理部６７（図２参照）は、ＤＰＯＦ情報の画像関連情報の有無を確認する（Ｓ５）。通常、写真プリントシステムでは、ユーザの編集した情報をプリント処理に優先的に反映させるために、ＤＰＯＦ情報の画像関連情報が優先的に検索される。そのため、ここでＤＰＯＦ情報がないと判定されたために、Ｅｘｉｆ情報が用いられて日付印字処理がされてしまうことを回避する必要がある。
【００５７】
そこで、ＤＰＯＦ情報がないと判断されると、データ処理部６７は、ＤＰＯＦ情報の日付情報としてスペース文字を挿入して（Ｓ６）、画像データと共に操作ステーション２に送信する（Ｓ７）。これにより、ＤＰＯＦ情報が存在することになるため、元々ＤＰＯＦ情報の画像関連情報がなく、かつ操作ステーション２の設定がＥｘｉｆ形式になっていたとしても、Ｅｘｉｆ情報を利用した日付印字が自動的に行われることを防ぐことができる。
【００５８】
上記送信されたデータを基に、操作ステーション２の制御部２７は、プリントステーション３にプリント制御信号を送信する（Ｓ８）。
プリント制御信号を受信すると、プリントステーション３はプリントを行い（Ｓ９）、プリントが終了すると一連の処理は終了する。
以上の処理工程により、日付印字なしプリントが作成される。
【００５９】
［本写真プリントシステム１の特徴］
（１）
本実施形態の写真プリントシステム１では、図２に示すように、第１記録情報（例えば、ＤＰＯＦ情報）と第１記録情報の方が優先して検索される第２記録情報（例えば、Ｅｘｉｆ情報）とを含む画像データに対して各種付加条件をユーザが設定可能な受付端末６において、日付設定画面３０からユーザが入力した設定に基づいて、画像データの所定の画像関連情報をダミー情報に置き換えてデータ処理するデータ処理部６７が内蔵されている。
【００６０】
これにより、所定の画像関連情報がない場合に、ユーザが画像関連情報に基づく処理を希望しないにも関らず、操作ステーション２側で設定された画像関連情報が使用されるために最終プリントにユーザの希望の処理が反映されない問題を回避できる。すなわち、所定の画像関連情報がない場合であっても、ダミー情報を操作ステーション２に送信する。すると、操作ステーション２ではダミー情報が所定の画像関連情報として認識され、ユーザの設定に対応したプリントが行われる。また、操作ステーション２側の設定をその都度解除する等の作業が不要になる。
【００６１】
この結果、操作ステーション２側の設定に関らず、ユーザの希望に対応したプリントを作成することができ、作業効率も向上する。
（２）
本実施形態の写真プリントシステム１では、受付端末６において、画像データに元々含まれる画像関連情報のうちの日付情報に関して、ユーザから日付印字なしとの指定を受けた場合に、操作ステーション２側の設定に関らず日付情報を印字しないようにプリント処理が行われる。
【００６２】
これにより、受付端末６において、ユーザが設定入力時に日付印字なしと選択したにも関らず、操作ステーション２側の設定によって日付印字がされたプリントが作成される問題を回避できる。
この結果、日付印字を行うか否かについて、ユーザの希望に対応したプリントを正確に作成することができる。
【００６３】
（３）
本実施形態の写真プリントシステム１では、データ処理部６７により挿入されるダミー情報としてスペース文字を用いる。
これにより、スペース文字が日付情報と認識され、プリント処理時には空白印字（すなわち、空打ち）が行われるため、最終プリントには日付が印字されないことになる。
【００６４】
この結果、日付印字を行うか否かについて、ユーザの希望に対応したプリント処理を正確に行うことができる。
（４）
本実施形態の写真プリントシステム１では、画像データの所定の画像関連情報は、ＤＰＯＦ情報とする。
【００６５】
ＤＰＯＦ情報は、ユーザの編集したプリント設定情報であり、優先してプリント処理設定に用いることが望ましい。
この結果、ユーザの編集した情報をプリント処理に優先的に反映させることができる。
（５）
本実施形態の写真プリントシステム１では、操作ステーション２側で設定された画像関連情報は、Ｅｘｉｆ情報とする。
【００６６】
Ｅｘｉｆ情報は、撮影装置固有の情報を有し、広く用いられている。これらのＥｘｉｆ情報をプリント処理時に使用することで、写真処理装置の操作性および処理効率が向上する。
この結果、作業効率のよい写真処理装置を提供できる。
［他の実施形態］
以上、本発明の一実施形態について説明したが、本発明は上記実施形態に限定されるものではなく、発明の要旨を逸脱しない範囲で種々の変更が可能である。
【００６７】
（Ａ）
上記実施形態は、図７に示すように、日付印字を行うか否かの設定を受け付けるステップＳ２と、受け付けた設定内容に基づいて画像データのＤＰＯＦ情報をスペース文字に置き換えるステップＳ６と、その画像データをプリント処理部に送信するステップＳ７とを備える写真処理プログラムとして実現してもよい。
【００６８】
これにより、ＤＰＯＦ情報がない場合に、ユーザが日付印字の処理を希望しないにも関らず、最終プリントにユーザ側の設定が反映されない問題を回避できる。
この結果、操作ステーション２側の設定に関らず、ユーザの希望に対応したプリントを作成することができる。
（Ｂ）
上記実施形態では、図７に示すように、データ処理部６７により挿入されるダミー情報として、空白印字を示すスペース文字を用いるステップ（Ｓ６）の例を挙げて説明した。しかし、本発明はこれに限定されるものではない。
【００６９】
例えば、図８に示すように、スペース文字の代わりに、任意の文字列をそのプリント時の色情報と共に挿入するステップＳ８６を行うものであってもよい。この色情報は、例えば、任意の文字列が印字される位置に対応する背景画像と同じ色とする。
これにより、任意の文字列が印字されても文字列は背景色と同じ色になっているため、最終プリントでは認識できなくなる。
【００７０】
この結果、ユーザの希望に対応したプリント処理を正確に行うことができる。
（Ｃ）
上記実施形態では、図２に示すように、受付端末６側においてデータ処理部６７から送信された画像データや情報、および操作ステーション２側で設定された設定に基づいて、制御部２７においてプリントステーション３を制御する例を挙げて説明した。しかし、本発明はこれに限定されるものではない。
【００７１】
例えば、受付端末６は、直接ネットワークケーブル等を介してプリントステーション３に接続されている構成であってもよい。この場合、プリントステーション３は内部に制御機構を備え、この制御機構において操作ステーション２における制御部２７の処理の一部を行うものであってもよい。
これによっても、上記実施形態と同様の効果を得ることができる。
【００７２】
（Ｄ）
上記実施形態では、図１に示すように、操作ステーション２、プリントステーション３、および受付端末６は、同じ店舗内に設置されて写真プリントシステム１を構成している場合の例を挙げて説明した。しかし、本発明はこれに限定されるものではない。
例えば、他の店舗に設置されている複数の受付端末が、ネットワークケーブルを介してプリントステーション３に接続されている構成であってもよい。
【００７３】
これにより、プリントステーション３を店舗に備えられないような場合であっても、ユーザはプリント作成を依頼することができる。また、上記実施形態と同様に、ユーザの希望に対応したプリントをユーザに提供することができる。
（Ｅ）
上記実施形態では、図１に示すように、操作ステーション２がケーブル４を介してプリントステーション３に接続されている例を挙げて説明した。しかし、本発明はこれに限定されるものではない。例えば、操作ステーション２とプリントステーション３とが一体型となった写真プリントシステムであってもよい。
【００７４】
この場合であっても、上記実施形態の処理を適用することで、ユーザの希望に対応したプリントを提供することができる。
（Ｆ）
上記実施形態に加えて、日付印字なしプリントの作成手順において、ユーザの設定どおりに日付印字が確実になされていないことを、ユーザが受付端末６において確認するステップがあってもよい。
【００７５】
例えば、日付設定画面３０においてユーザが設定入力した後、あるいはプリントステーション３においてプリント処理中に、受付端末６のモニタ６１に選択中の画像が表示されて、日付印字がされていないことをユーザに確認させる。
さらに、例えば、一定時間が経過すると選択中の画像の右下、右上、左下、および左上部分のいずれか、または全ての箇所を順にズームアップして一定時間表示し、ユーザの注意を喚起するステップがあってもよい。ズームアップに関して、ズームアップ箇所、ズームアップする順番、ズームアップスピード等は店舗側で設定可能であってもよいし、写真処理システム側で自動設定されるものであってもよい。また、ズームアップ箇所については、ユーザが、ズームアップしたい箇所をモニタ６１のタッチパネル上で指定する等して、任意の箇所を拡大表示するものであってもよい。
【００７６】
これにより、ユーザにとって日付印字設定の確認が容易になり、効率よいプリント注文が可能になる。
（Ｇ）
上記実施形態では、図７に示すように、日付印字なしプリントを作成する手順の例を挙げて説明した。しかし、本発明はこれに限定されるものではない。
【００７７】
例えば、図９に示すように、日付印字設定の有無を判断するＳ４の後に、操作ステーション２（図１および図２参照）側でＥｘｉｆ情報を使用する設定になっているか否かを、データ処理部６７（図２参照）が確認するステップＳ９４をさらに有していてもよい。
操作ステーション２側でＥｘｉｆ情報を使用する設定になっていると、受付端末６の設定に関らずＥｘｉｆ情報を使用した日付印字が行われるが、例えば、Ｅｘｉｆ情報以外を使用する設定になっていると、ＤＰＯＦ情報が画像データに含まれない場合であっても日付印字は行われない。そのため、店側の設定によっては、全ての注文に対してスペース文字の挿入処理を行うと作業効率が低下する場合もある。そこで、挿入処理前に操作ステーション２側の設定を確認できると都合がよい。なお、このＳ９４は、写真プリントシステム１を起動後の最初のプリント処理に対して行ってもよいし、あるいはプリント注文毎に行ってもよい。
【００７８】
これにより、ユーザの希望に対応したプリント処理をさらに効率よく行うことができる。
（Ｈ）
上記実施形態では、図４および図５に示すように、プリント注文時にユーザが使用する設定入力画面として、日付設定画面３０およびプレジャッジ画面４０を挙げて説明した。しかし、本発明はこれに限定されるものではない。
【００７９】
受付端末６およびＧＵＩプログラムの仕様等によって、同様の機能を有する他の入力画面であっても使用可能である。
（Ｉ）
上記実施形態では、図７に示すように、画像データに元々含まれる画像関連情報のうちの日付情報に関して、ユーザから日付印字なしと指定された場合に、操作ステーション２側の設定に関らず日付情報を印字しないようにプリント処理が制御される例を挙げて説明した。しかし、本発明はこれに限定されるものではない。
【００８０】
他の画像関連情報に関しても、ユーザが印字を希望しない、または使用を希望しないといった設定が必要な場合に、本実施形態と同様の処理を適用することが可能である。
（Ｊ）
上記実施形態では、第１記録情報および第２記録情報をそれぞれＤＰＯＦ情報およびＥｘｉｆ情報として説明した。しかし、本発明はこれに限定されるものではない。
【００８１】
例えば、これら記録情報の形式としては、新しい形式が提案されて普及する可能性がある。従って、第１記録情報として、ユーザが設定可能な情報の形式であればよい。また、第２記録情報として、Ｅｘｉｆ形式と同様なデータを含む他の情報の形式であればよい。
この場合であっても、上記実施形態の処理を適用することで、ユーザの希望に沿ったプリントを提供することができる。
【００８２】
（Ｋ）
上記実施形態では、図２に示すように、画像データを変換処理するデータ処理部６７が、受付端末６に内蔵されている例を挙げて説明した。しかし、本発明はこれに限定されるものではない。
例えば、データ処理部６７は、操作ステーション２に搭載されているものであってもよい。その場合は、ユーザが入力した付加条件に関する設定情報および受付端末６において取り込まれた画像関連情報を含む画像データが操作ステーション２に送信されて、ダミー情報の挿入処理等が行われる。
【００８３】
これによっても、上記実施形態と同様の効果を得ることができる。
【産業上の利用可能性】
【００８４】
本発明の写真処理装置は、プリント処理部側の設定に関らず、ユーザの希望に対応したプリントを正確に行うという効果を有するため、ユーザが様々なプリント条件を設定可能な写真処理装置および印刷装置等に広く適用可能である。
【図面の簡単な説明】
【００８５】
【図１】本発明の一実施形態に係る写真プリントシステムを示す外観図。
【図２】図１の写真プリントシステムが備える機能ブロックを示す制御ブロック図。
【図３】図１の写真プリントシステムのプリントステーションの構成を示す概略図。
【図４】図１の写真プリントシステムの受付端末に表示される日付設定画面を示す図。
【図５】図１の写真プリントシステムの受付端末に表示されるプレジャッジ画面を示す図。
【図６】（ａ）は、図１の写真プリントシステムにおいて扱われるサムネイル画像を示す図。（ｂ）は、図１の写真プリントシステムにおいて扱われる本画像を示す図。
【図７】図１に示す写真プリントシステムにおける日付印字なしプリントの作成手順の流れを示すフローチャート。
【図８】図１に示す写真プリントシステムにおける他の日付印字なしプリントの作成手順の流れを示すフローチャート。
【図９】図１に示す写真プリントシステムにおけるさらに他の日付印字なしプリントの作成手順の流れを示すフローチャート。
【符号の説明】
【００８６】
１      写真プリントシステム
２      操作ステーション
２ａ    写真フィルム
２ｂ    メモリカード
３      プリントステーション
４      ケーブル
５      ネットワークケーブル
６      受付端末（写真処理装置）
１１      印画紙マガジン
１２      シートカッター
１３      バックプリント部
１４      プリント露光部
１５      処理槽ユニット
１６      コンベア
１７      ソータ
１８      印画紙搬送機構
２１      フィルムスキャナ
２２、６２  メディアリーダ
２３      モニタ
２４      キーボード
２５      マウス
２６、６６  メモリ
２７      制御部
３０      日付設定画面（設定入力部）
３１ａ，３１ｂ  日付設定キー
３２ａ，３２ｂ  例示画像
４０      プレジャッジ画面
４１      表示枠
４２      色濃度補正設定エリア
４３      プリント枚数設定エリア
４４      プリント条件表示エリア
４５      スタートキー
６１      モニタ
６３      赤外線受光部
６４      ＣＤドライブ
６５      ＦＤドライブ
６７      データ処理部
ＰＣ      パソコン
Ｇ１      サムネイル画像
Ｇ２      本画像
Ｐ      印画紙
Ｓ      ステップ
【図１】
2008028760.tif 000003
【図２】
2008028760.tif 000004
【図３】
2008028760.tif 000005
【図４】
2008028760.tif 000006
【図５】
2008028760.tif 000007
【図６】
2008028760.tif 000008
【図７】
2008028760.tif 000009
【図８】
2008028760.tif 000010
【図９】
2008028760.tif 000011